(57)【要約】本発明は、記録媒体、記録媒体のマスターリング装置、そして記録媒体の再生装置及び再生方法に関する。再生専用ブルーレイディスク（ＢＤ−ＲＯＭ）のような高密度光ディスクのＰＩＣ領域に複写防止情報（ＣＰＩ）、複写防止情報の記録可否を表す識別情報（ＣＰＩ＿Ｆｌａｇ）、または／及び相異なるフォーマットを有する複数のコンテンツ仕様情報（ＣＳＩ）が記録される。また、複写防止情報、識別情報、または／及び前記コンテンツ仕様情報で構成されたコントロールデータをメインデータと分離してフォーマットとマスターリング作業を遂行する。そして、光ディスク装置で、光ディスクから読み出した複写防止情報、識別情報、または／及びコンテンツ仕様情報を参照して、光ディスクが不法複製された光ディスクなのかを判別して、再生動作を強制的に中止させる。したがって、光ディスクの不法的な複製を效果的に防止することができるようになって、合法的に製作された光ディスクと不法的に製作された光ディスクの判別を正確で容易にできるようになり、不法的に製作された光ディスクに対する再生を制限することができるようになる。
2006518529.tif 000002
【特許請求の範囲】
【請求項１】
特定領域に複写防止情報と該複写防止情報の記録可否を表す識別情報とが、ウォブルプレピットタイプで記録されていることを特徴とする記録媒体。
【請求項２】
前記記録媒体が複写防止モードの場合、前記複写防止情報と該複写防止情報が記録されたことを示す識別情報とが共に記録され、前記記録媒体が複写フリーモードの場合、前記複写防止情報は記録されていないで前記複写防止情報が記録されなかったことを示す識別情報だけ記録されていることを特徴とする請求項１に記載の記録媒体。
【請求項３】
前記記録媒体が、再生専用ブルーレイディスクであることを特徴とする請求項１に記載の記録媒体。
【請求項４】
前記特定領域は、ＰＩＣ領域であることを特徴とする請求項３に記載の記録媒体。
【請求項５】
前記識別情報は、前記複写防止情報内に含まれて記録され、または前記複写防止情報の先頭に記録されていることを特徴とする請求項１に記載の記録媒体。
【請求項６】
他のパターンを有する複数のコンテンツ仕様情報がさらに記録されていることを特徴とする請求項１に記載の記録媒体。
【請求項７】
前記記録媒体が適法に複製された場合、前記複数のコンテンツ仕様情報には等しい値が記録されていることを特徴とする請求項６に記載の記録媒体。
【請求項８】
前記コンテンツ仕様情報は、コンテンツのタイトルＩＤであることを特徴とする請求項６に記載の記録媒体。
【請求項９】
前記複数のコンテンツ仕様情報のうち、任意のコンテンツ仕様情報は、前記ウォブルプレピットタイプで記録されていて、残りのコンテンツ仕様情報は、ストレートプレピットタイプで記録されていることを特徴とする請求項６に記載の記録媒体。
【請求項１０】
前記複数のコンテンツ仕様情報は、前記特定領域に共に記録され、該特定領域と該特定領域以外の領域に分けて記録されていることを特徴とする請求項６に記載の記録媒体。
【請求項１１】
入力されるファイルからコントロールデータとメインデータを分離して複写コントロールデータを生成する複写防止コントローラを含んで構成されていることを特徴とする記録媒体の製造装置。
【請求項１２】
前記複写防止コントローラに入力されるファイルには、複写防止情報と該複写防止情報の記録可否を表す識別情報とで構成されているコントロールデータとメインデータが含まれていることを特徴とする請求項１１に記載の記録媒体の製造装置。
【請求項１３】
前記複写防止コントローラに入力されるファイルに適法なコントロールデータが含まれている場合、前記複写防止コントローラは、前記入力されるコントロールデータに含まれた前記複写防止情報と識別情報をそのまま分離することを特徴とする請求項１２に記載の記録媒体の製造装置。
【請求項１４】
前記複写防止コントローラに入力されるファイルにコントロールデータが含まれていなかったり、または適法でないコントロールデータが含まれている場合、前記複写防止コントローラは、前記複写防止情報が記録されたことを示す識別情報を生成して、誤った値を有する複写防止情報を生成したり、または前記複写防止情報を生成しないことを特徴とする請求項１２に記載の記録媒体の製造装置。
【請求項１５】
前記複写防止コントローラに入力されるファイルにコンテンツ仕様情報がさらに含まれていることを特徴とする請求項１２に記載の記録媒体の製造装置。
【請求項１６】
前記複写防止コントローラに入力されるファイルに適法なコンテンツ仕様情報が含まれる場合、前記複写防止コントローラは、コントロールデータとメインデータに前記入力されたコンテンツ仕様情報と等しいコンテンツ仕様情報をそれぞれ生成することを特徴とする請求項１５に記載の記録媒体の製造装置。
【請求項１７】
前記複写防止コントローラに入力されるファイルにコンテンツ仕様情報が含まれなかったり、または適法でないコンテンツ仕様情報が含まれる場合、前記複写防止コントローラは、コンテンツ仕様情報を生成しなかったり、誤ったコンテンツ仕様情報を生成したり、またはコントロールデータとメインデータに相異なるコンテンツ仕様情報を生成することを特徴とする請求項１５に記載の記録媒体の製造装置。
【請求項１８】
前記分離されたコントロールデータとメインデータを相異なる方式でフォーマットするフォーマッターをさらに含んで構成されていることを特徴とする請求項１１に記載の記録媒体の製造装置。
【請求項１９】
記録媒体の特定領域から読み出す複写防止情報と該複写防止情報の記録可否を表す識別情報とをデコーディングするＲＯＭマークデコーダと、
前記デコーディングされた複写防止情報からメインデータの暗号化解読キーを得るキー検出器と、
前記暗号化解読キーを利用してメインデータを解読する解読部と、
前記解読されたメインデータをデコーディングするデコーディング部と
を備えていることを特徴とする記録媒体の再生装置。
【請求項２０】
前記ＲＯＭマークデコーダは、前記デコーディングされた複写防止情報と識別情報を利用して、前記記録媒体が不法複製されたことか否かを判断して、前記メインデータ解読部の動作を制御することを特徴とする請求項１９に記載の記録媒体の再生装置。
【請求項２１】
前記ＲＯＭマークデコーダは、複写防止情報が記録されたことを示す識別情報がデコーディングされて、デコーディングされた複写防止情報がなかったり、誤った複写防止情報がデコーディングされた場合、前記記録媒体が不法複製されたことに判断することを特徴とする請求項２０に記載の記録媒体の再生装置。
【請求項２２】
前記ＲＯＭマークデコーダは、前記記録媒体が不法複製されたことに判断する場合、前記メインデータ解読部の動作を中止させることを特徴とする請求項２０に記載の記録媒体の再生装置。
【請求項２３】
前記記録媒体の前記特定領域または該特定領域以外の領域から読み出したコンテンツ仕様情報をデコーディングするコンテンツ仕様情報デコーダと、
前記記録媒体が不法複製されたことか否かを判断して前記メインデータ解読部の動作を制御する制御部をさらに備え、
前記ＲＯＭマークデコーダは、前記記録媒体の前記特定領域から読み出したコンテンツ仕様情報をデコーディングし、
前記コンテンツ仕様情報デコーダと前記ＲＯＭマークデコーダは、デコーディングされたコンテンツ仕様情報を前記制御部にそれぞれ出力することを特徴とする請求項１９に記載の記録媒体の再生装置。
【請求項２４】
前記制御部は、前記コンテンツ仕様情報デコーダと前記ＲＯＭマークデコーダから、コンテンツ仕様情報を入力受けることができなかったり、誤ったコンテンツ仕様情報を入力受けたり、または入力受けたコンテンツ仕様情報が相互に同一でない場合、前記記録媒体が不法複製されたことに判断することを特徴とする請求項２３に記載の記録媒体の再生装置。
【請求項２５】
前記制御部は、前記記録媒体が不法複製されたことに判断する場合、前記メインデータ解読部の動作を中止させることを特徴とする請求項２３に記載の記録媒体の再生装置。
【請求項２６】
記録媒体の特定領域から複写防止情報と前記複写防止情報の記録可否を表す識別情報とを確認し、
前記確認された複写防止情報と識別情報を根拠にして、前記記録媒体が不法複製されたことか否かを判別することを特徴とする記録媒体の再生方法。
【請求項２７】
前記確認された識別情報が複写防止情報が記録されたことを示しながら前記特定領域に複写防止情報が記録されていなかったり、誤った複写防止情報が記録されていた場合、前記記録媒体を不法複製されたことに判別することを特徴とする請求項２６に記載の記録媒体の再生方法。
【請求項２８】
前記記録媒体が不法複製されたことに判別される場合、データの再生動作を妨害することを特徴とする請求項２６に記載の記録媒体の再生方法。
【請求項２９】
前記記録媒体は、再生専用ブルーレイディスクであって、前記特定領域は、リードイン領域に含まれたＰＩＣ領域であることを特徴とする請求項２６に記載の記録媒体の再生方法。
【請求項３０】
記録媒体から複数のコンテンツ仕様情報をそれぞれ検出し、
前記検出された複数のコンテンツ仕様情報を比較することによって、前記記録媒体が不法複製されたことか否かを判別することを特徴とする記録媒体の再生方法。
【請求項３１】
前記検出された複数のコンテンツ仕様情報が相互に一致しない場合、前記記録媒体を不法複製されたことに判別することを特徴とする請求項３０に記載の記録媒体の再生方法。
【請求項３２】
前記記録媒体が不法複製されたことに判別される場合、データの再生動作を妨害することを特徴とする請求項３０に記載の記録媒体の再生方法。
【請求項３３】
前記複数のコンテンツ仕様情報のうち、任意のコンテンツ仕様情報はウォブルピットタイプで検出されて、残りのコンテンツ仕様情報はストレートピットタイプで検出されることを特徴とする請求項３０に記載の記録媒体の再生方法。
【請求項３４】
前記複数のコンテンツ仕様情報は、特定領域から共に検出されたり、該特定領域と該特定領域以外の領域から区分検出されることを特徴とする請求項３０に記載の記録媒体の再生方法。
【発明の詳細な説明】
【技術分野】
【０００１】
本発明は、記録媒体、記録媒体の製造装置及び記録媒体の再生装置並びに再生方法に関し、より詳細には、再生専用ブルーレイディスク（ＢＤ−ＲＯＭ：Ｂｌｕ−ｒａｙ  Ｄｉｓｃ−ＲＯＭ）のような高密度光ディスクとそれと関連された装置及び方法に関する。
【背景技術】
【０００２】
最近、高画質のビデオデータと高音質のオーディオデータを長時間記録することができる新しい高密度光ディスク、例えば、再記録可能なブルーレイディスク（ＢＤ−ＲＥ：Ｂｌｕ−ｒａｙ  Ｄｉｓｃ−Ｒｅｗｒｉｔａｂｌｅ）に対する規格化作業が急速に進展するによって、関連製品が開発されて商用化されることと期待されている。
【０００３】
このようなＢＤ−ＲＥには、図１に示すように、ディスクの内周にクランピング領域、トランジション領域、ＢＣＡ（Ｂｕｒｓｔ  Ｃｕｔｔｉｎｇ  Ａｒｅａ）領域、そしてリードイン領域（Ｌｅａｄ−ＩｎＡｒｅａ）が順に存在し、ディスクの中心と外周には、データ領域（Ｄａｔａ  Ａｒｅａ）とリードアウト領域（Ｌｅａｄ−Ｏｕｔ  Ａｒｅａ）がそれぞれ存在する。
【０００４】
リードイン領域には、第１保護ゾーン（Ｐｒｏｔｅｃｔｉｏｎ  ｚｏｎｅ  １）とＰＩＣ（Ｐｅｒｍａｎｅｎｔ  Ｉｎｆｏｒｍａｔｉｏｎ  ＆  Ｃｏｎｔｒｏｌ  ｄａｔａ）領域、そして第２保護ゾーン（Ｐｒｏｔｅｃｔｉｏｎ  ｚｏｎｅ  ２）、情報２領域（Ｉｎｆｏ２）及びＯＰＣ（Ｏｐｔｉｍｕｍ  Ｐｏｗｅｒ  Ｃｏｎｔｒｏｌ）領域などが区分されている。第１保護ゾーンとＰＩＣ領域は、事前にデータがあらかじめ記録されている領域（Ｐｒｅ−ｒｅｃｏｒｄｅｄ  ａｒｅａ）である反面、その残りのリードイン領域、データ領域、そしてリードアウト領域は、新しいデータが再記録される領域（Ｒｅｗｒｉｔａｂｌｅ  ａｒｅａ）である。
【０００５】
ＰＩＣ領域は、永久的に保存しなければならないディスクの主要情報が保存される領域であって、高周波変調（ＨＦＭ：Ｈｉｇｈ  Ｆｒｅｑｕｅｎｃｙ  Ｍｏｄｕｌａｔｅｄ）グルーブが形成される。このＨＦＭグルーブは、図２に示すように、バイフェーズ変調（Ｂｉ−Ｐｈａｓｅ  Ｍｏｄｕｌａｔｉｏｎ）方式により変調してディスク情報（ＤＩ：Ｄｉｓｃ  Ｉｎｆｏｒｍａｔｉｏｎ）を保存するようになる。
【０００６】
ＨＦＭグルーブは、半径方向に相当に高い帯域幅の信号に変調されて、十分な容量とデータレートで繰り返される情報のデータチャネルを生成する。図２に示すように、バイフェーズ変調により、ウォブルグルーブ（ｗｏｂｂｌｅｄ  ｇｒｏｏｖｅ）にデータがエンコードされることができる。
【０００７】
変調方法で、ビット値‘０’は、ビットセル（ｂｉｔ  ｃｅｌｌ）の開始位置での遷移（ｔｒａｎｓｉｔｉｏｎ）で表現されて、ビット値‘１’は、ビットセルのスタート位置と真ん中位置での遷移で表現されることができる。変調したビットは、図２に示すように、グルーブの平均的な中心線から逸れた変位を異にすることによってディスクに記録されることができる。各ビットセルの長さは、３６Ｔであることがあるが、ここでＴは再記録可能なデータ領域でチャネルビットの長さに該当する。
【０００８】
一方、ＢＤ−ＲＥとともに、新しい再生専用高密度光ディスクの規格化に対して関連企業等間で論議されている。
【０００９】
例えば、再生専用ブルーレイディスク（ＢＤ−ＲＯＭ）の場合、図３に示すように、インナー（Ｉｎｎｅｒ）領域、クランピング（Ｃｌａｍｐｉｎｇ）領域、トランジション（Ｔｒａｎｓｉｔｉｏｎ）領域、情報（Ｉｎｆｏｒｍａｔｉｏｎ）領域、そしてリム（Ｒｉｍ）領域で構成されて、データゾーン（Ｄａｔａ  Ｚｏｎｅ）に記録されるＡ／Ｖストリームのようなメインデータは、不法複写を防止するための複写防止情報（ＣＰＩ：Ｃｏｐｙ  Ｐｒｏｔｅｃｔｉｏｎ−ｒｅｌａｔｅｄ  Ｉｎｆｏｒｍａｔｉｏｎ）により暗号化（Ｅｎｃｒｙｐｔｉｏｎ）されて暗号化データで記録されることができる。そして、情報領域内のＰＩＣ領域には、複写防止情報（ＣＰＩ）とディスク情報（ＤＩ）が記録されている。したがって、光ディスク装置では、初期サーボ動作遂行時前記ＰＩＣ領域に記録された複写防止情報（ＣＰＩ）を検出した後、検出された複写防止情報を利用してデータ領域に暗号化して記録されたメインデータを復号化（Ｄｅｃｒｙｐｔｉｏｎ）して再生するようになる。
【００１０】
しかし、光ディスク装置により復号化されて再生されるＢＤ−ＲＯＭのデータストリームを個人用コンピュータのハードディスク（ＨＤＤ）のような保存媒体に不法的に保存した後、ＢＤ−ＲＯＭフォーマッター（Ｆｏｒｍａｔｔｅｒ）とマスタリングマシン（Ｍａｓｔｅｒｉｎｇ  Ｍａｃｈｉｎｅ）を利用して複写防止情報（ＣＰＩ）なく不法的にＢＤ−ＲＯＭを製作する場合が発生することができる。この場合、不法製作されたＢＤ−ＲＯＭには、複写防止情報はないが暗号が解除されたデータストリームが記録されるため、複写防止情報を記録しないで暗号化しないデータストリームを記録した、合法的に製作されたＢＤ−ＲＯＭと等しくなるので、不法複製であるか否かを判別できなくなる。しかしながら、これを解決することができる効率的な方策が、まだ用意されていないという実情である。
【発明の開示】
【発明が解決しようとする課題】
【００１１】
したがって、本発明は、このような実情を勘案してなされたものであって、その目的とするところは、不法的な複製を難しくするコンテンツ保護システムが適用される光ディスクを提供することにある。
【００１２】
また、本発明の他の目的は、合法的に製作された光ディスクと不法的に製作された光ディスクの判別を正確で容易にできる光ディスクを提供することにある。
【００１３】
また、本発明のさらに他の目的は、不法的に複製を試みる場合、これを效果的に防止することができる光ディスクの製造装置を提供することにある。
【００１４】
また、本発明のさらに他の目的は、合法的に複製する場合と不法的に複製を試みる場合を正確に区分することができる光ディスクの製造装置を提供することにある。
【００１５】
また、本発明のさらに他の目的は、不法的に複製を試みる場合、正常的に再生されない光ディスクの製造装置を提供することにある。
【００１６】
また、本発明のさらに他の目的は、合法的な光ディスクと不法的に製作された光ディスクを正確に判別できる再生装置及び再生方法を提供することにある。
【００１７】
また、本発明のさらに他の目的は、不法的に製作された光ディスクに対する再生を制限することができる再生装置及び再生方法を提供することにある。
【課題を解決するための手段】
【００１８】
このような目的を達成するために、本発明による記録媒体は、特定領域に複写防止情報と該複写防止情報の記録可否を現わす識別情報が、ウォブルプレピットタイプ（ｗｏｂｂｌｅｄ  ｐｒｅ−ｐｉｔ  ｔｙｐｅ）で記録されていることを特徴としている。
【００１９】
また、本発明による記録媒体の製造装置は、入力されるファイルからコントロールデータとメインデータを分離して複写コントロールデータを生成する複写防止コントローラ（Ｃｏｐｙ  ｐｒｏｔｅｃｔｉｏｎ  ｃｏｎｔｒｏｌｌｅｒ）を含んで構成されていることを特徴としている。
【００２０】
また、本発明による記録媒体の再生装置は、記録媒体の特定領域から読み出す複写防止情報と該複写防止情報の記録可否を現わす識別情報をデコーディングするＲＯＭマークデコーダと、前記デコーディングされた複写防止情報からメインデータの暗号化解読キーを得るキー検出器と、前記暗号化解読キーを利用してメインデータを解読する解読部と、解読されたメインデータをデコーディングするデコーディング部で構成されていることを特徴としている。
【００２１】
また、本発明による記録媒体の再生方法は、記録媒体の特定領域から複写防止情報と該複写防止情報の記録可否を現わす識別情報を確認し、該確認された複写防止情報と識別情報を根拠にして、前記記録媒体が不法複製されたことか否かを判別することを特徴としている。
【００２２】
また、本発明による記録媒体の再生方法は、記録媒体から複数のコンテンツ仕様情報をそれぞれ検出し、該検出された複数のコンテンツ仕様情報を比較することによって、前記記録媒体が不法複製されたことか否かを判別することを特徴としている。
【発明を実施するための最良の形態】
【００２３】
以下、本発明による記録媒体、記録媒体の製造装置、記録媒体の再生装置及び再生方法に対する望ましい実施形態に対して、添付した図面を参照しながら詳細に説明する。
【００２４】
まず、本発明による記録媒体、例えば、再生専用ブルーレイディスク（ＢＤ−ＲＯＭ）には、図３を参照しながら上述したように、インナー領域、クランピング領域、トランジション領域、情報領域、そしてリム領域が存在する。
【００２５】
情報領域内に区分割り当てられるＰＩＣ領域には、図４に示すように、ディスク主要情報であるディスク情報（ＤＩ）が記録される。また、データゾーン（Ｄａｔａ  Ｚｏｎｅ）にＡ／Ｖストリームのようなメインデータが暗号化した状態で記録される場合には、メインデータを復号化（Ｄｅｃｒｙｐｔｉｏｎ）するためのキー値である複写防止情報（ＣＰＩ）が記録されて、データゾーンにメインデータが暗号化しない状態で記録される場合には、複写防止情報（ＣＰＩ）が別途に記録されない。そして、複写防止情報の記録可否を現わすための識別情報、例えば、１バイトのサイズを有する複写防止情報フラッグ（ＣＰＩ＿Ｆｌａｇ）が、複写防止情報内に記録されたり、またはＰＩＣ領域内に別途に区分されて記録される。
【００２６】
ＰＩＣ領域内に記録されるＣＰＩは、上述したＢＤ−ＲＥの構造と同様にバイフェーズＨＦＭグルーブタイプ（Ｂｉ−Ｐｈａｓｅｄ  ＨＦＭ  Ｇｒｏｏｖｅ  ｔｙｐｅ）で記録されるが、ＢＤ−ＲＥとは異なるように、領域にバイフェーズプレピットタイプ（ｂｉ−ｐｈａｓｅｄ  ｗｏｂｂｌｅｄ  ｐｒｅ−ｐｉｔ  ｔｙｐｅ）で記録される。ＣＰＩ＿Ｆｌａｇもウォブルプレピットタイプ（Ｗｏｂｂｌｅｄ  ｐｒｅ−ｐｉｔ  ｔｙｐｅ）で記録可能であり、ストレートプレピットタイプ（ｓｔｒａｉｇｈｔ  ｐｒｅ−ｐｉｔ  ｔｙｐｅ）も可能である。
【００２７】
複写防止情報フラッグ（ＣＰＩ＿Ｆｌａｇ）に関する詳細な内容、ＣＰＩ＿Ｆｌａｇの値、ＣＰＩデータ、そして以下で説明されるコンテンツ仕様情報（ＣＳＩ）は外部に知られないで、コンテンツプロバイダにより秘密裏に提供される。そして、複写防止情報フラッグ、ＣＰＩ、そしてＣＳＩは、ディスクの不法的な複製を防止するのに使われることができて、不法的に複製されたディスクの再生を制限するのに使われることができる。
【００２８】
これにより、合法的なプロセスを経て製作されたＢＤ−ＲＯＭは、２種の場合が可能である。一つ（Ｍｏｄｅ  １）は、複写防止コンテンツ（Ｃｏｐｙ  Ｐｒｏｔｅｃｔｅｄ  Ｃｏｎｔｅｎｔｓ）が記録されるＢＤ−ＲＯＭに対する場合であって、メインデータは暗号化した状態でデータ領域に記録されて、暗号化したメインデータを復号化するためのＣＰＩとＣＰＩが記録されたことを示すＣＰＩ＿Ｆｌａｇ、例えば、‘ＣＰＩ＿Ｆｌａｇ＝１’がＰＩＣ領域に記録される。他の一つ（Ｍｏｄｅ  ２）は、複写フリーコンテンツ（Ｃｏｐｙ  Ｆｒｅｅ  Ｃｏｎｔｅｎｔｓ）が記録されるＢＤ−ＲＯＭに対する場合であって、メインデータは暗号化しない状態でデータ領域に記録されて、ＣＰＩは記録されなくて、ＣＰＩが記録されたことを示すＣＰＩ＿Ｆｌａｇだけ、例えば、‘ＣＰＩ＿Ｆｌａｇ＝０’が前記ＰＩＣ領域に記録される。
【００２９】
図５は、本発明の第１実施形態による再生専用ブルーレイディスクが不法複製される過程を示した図で、図６は、フォーマッターの動作を示した図である。
【００３０】
再生専用ブルーレイディスクの複製を試みる場合、合法的なプロセスで製作されたＢＤ−ＲＯＭ（Ｍｏｄｅ  １またはＭｏｄｅ  ２）をＢＤ−ＲＯＭレコーダまたはプレーヤ等のような光ディスク装置１００で再生しながらその再生されるデータストリームを個人用コンピュータのハードディスク（ＨＤＤ）のような保存媒体２００に不法的に保存する。そして、暗号が解除された状態で保存されたデータストリームを入力にしてＢＤ−ＲＯＭフォーマッター（Ｆｏｒｍａｔｔｅｒ）３００とマスタリングマシン４００を介してＢＤ−ＲＯＭ  ２０の複製を試みる。
【００３１】
一方、ＢＤ−ＲＯＭフォーマッター３００は、複写防止コントロールチップ（ＣＰＣＣ：Ｃｏｐｙ  Ｐｒｏｔｅｃｔｉｏｎ  Ｃｏｎｔｒｏｌ  Ｃｈｉｐ）を含んで構成されている。そして、ＢＤ−ＲＯＭフォーマッター３００のＣＰＣＣには、コンテンツプロバイダ（Ｃｏｎｔｅｎｔｓ  Ｐｒｏｖｉｄｅｒ）により提供されるコンテンツ認証コードファイル（Ｃｏｎｔｅｎｔｓ  Ａｕｔｈｏｒｉｎｇ  Ｃｏｄｅ  Ｆｉｌｅ）が入力されて、コンテンツ認証コードファイルには、ＣＰＩとＣＰＩ＿ＦｌａｇのようなコントロールデータとＡ／Ｖストリームのようなメインデータが含まれる。ＢＤ−ＲＯＭフォーマッター３００は、入力されるコンテンツ認証コードファイルからコントロールデータとメインデータを、ＣＰＣＣを通じて分離して、分離されたコントロールデータとメインデータをＢＤ−ＲＯＭ規格に合うようにフォーマットする。以後、マスターリングマシン４００では入力されるＢＤ−ＲＯＭフォーマッター３００の出力を利用して大量複製することができるマスターを製作する。
【００３２】
この場合、ＣＰＣＣでは、コンテンツ認証コードファイルに含まれたコントロールデータが適法な場合には、これをメインデータと分離して出力するが、コントロールデータが適法でなかったり、コントロールデータが含まれない場合には、複写防止情報フラッグを‘ＣＰＩ＿Ｆｌａｇ＝１’で固定させて誤ったＣＰＩを含めたり、ＣＰＩを含めないコントロールデータを生成して出力する。
【００３３】
合法的にディスクを製作する場合には、適法なＣＰＩとＣＰＩ＿Ｆｌａｇのコントロールデータとメインデータで構成された適法なコンテンツ認証コードファイルが、ＢＤ−ＲＯＭフォーマッター３００に印加される。例えば、合法的に製作されるディスクが、複写防止モード（Ｃｏｐｙ  Ｐｒｏｔｅｃｔｅｄ  Ｍｏｄｅ）の場合には、ＣＰＩと‘ＣＰＩ＿Ｆｌａｇ＝１’が含まれて、複写フリーモード（Ｃｏｐｙ  Ｆｒｅｅ  Ｍｏｄｅ）の場合にはＣＰＩは含まれないで‘ＣＰＩ＿Ｆｌａｇ＝０’だけ含まれた適法なコンテンツ認証コードファイルが、ＢＤ−ＲＯＭフォーマッター３００に入力される。そして、ＢＤ−ＲＯＭフォーマッター３００では、ＣＰＣＣを通じて分離された適法なコントロールデータとメインデータがＢＤ−ＲＯＭ規格に合うようにフォーマットされて、マスターリングマシン４００でマスターが製作される。
【００３４】
しかし、不法的にディスクの複製を試みる場合には、保存媒体に不法的に保存されたデータストリーム、すなわち、メインデータだけがＢＤ−ＲＯＭフォーマッター３００に入力されたり、メインデータと適法でないコントロールデータが含まれた不法コンテンツ認証コードファイルが、ＢＤ−ＲＯＭフォーマッター３００に入力される。この場合、ＢＤ−ＲＯＭフォーマッター３００では、‘ＣＰＩ＿Ｆｌａｇ＝１’で固定されて、誤ったＣＰＩが含まれたり、ＣＰＩが含まれない誤ったコントロールデータとメインデータを利用してフォーマットするようになる。
【００３５】
一方、複写防止コントロールチップ（ＣＰＣＣ）は権利者（ｌｉｃｅｎｓｏｒ）から正常的に許与を受けたｌｉｃｅｎｓｅｅにだけ提供することだが、不法複製意図を有した特定ユーザーが、ＣＰＣＣを製造することが可能であるかも知らない。
【００３６】
しかし、ＣＰＩまたはＣＰＩを生成するアルゴリズムはどの場合にも公開されない秘密情報（Ｓｅｃｒｅｔ  ｉｎｆｏｒｍａｔｉｏｎ）であるため、不法製造されたＣＰＣＣは、のＣＰＩを正常的に生成することができないし、生成することができてもその情報は、権利者（Ｌｉｃｅｎｓｏｒ）が構成したＣＰＩとはそのフォーマットや値が根本的に違うしかない。したがって、ＣＰＣＣが不法的に製造されてディスクを不法的に複製しても、そのディスクは正常的に再生されることができない。
【００３７】
図７は、本発明の第１実施形態による再生専用ブルーレイディスクに対して、不法的に複製されたディスクを判別しながら再生する光ディスク装置の構成図である。この光ディスク装置は、ＲＯＭマークデコーダ５０、キー復号化及びデコーディング部５１、メインデータ復号化部５２、メインデータデコーダ５３などのハードウェアまたはソフトウェアで構成されている。
【００３８】
ＲＯＭマークデコーダ５０では、ＢＤ−ＲＯＭのＰＩＣ領域に記録されたＣＰＩとＣＰＩ＿Ｆｌａｇをデコーディングするようになっており、キー復号化及びデコーディング部５１では、ＣＰＩ情報をメインデータの暗号化解読のための復号化キー（Ｄｅｃｒｙｐｔｉｏｎ  Ｋｅｙ）値で復号化及びデコーディングしてメインデータ復号化部５２に出力するようになっている。そして、メイン復号化部５２では、復号化キー値を利用して暗号化したメインデータストリームを復号化するようになっており、メインデータデコーダ５３では、復号化されたメインデータストリームを本来のデータに復元して再生する動作を遂行する。
【００３９】
ＲＯＭマークデコーダ５０では、ＢＤ−ＲＯＭのＰＩＣ領域に、ＣＰＩ＿Ｆｌａｇが‘１’で記録されていて正常的なＣＰＩが記録されている場合とＣＰＩ＿Ｆｌａｇが‘０’で記録されていてＣＰＩが記録されていない場合、ＢＤ−ＲＯＭを合法的に製作されたディスクで判断して、再生を続けて進行する。しかし、ＢＤ−ＲＯＭのＰＩＣ領域にＣＰＩ＿Ｆｌａｇが‘１’で記録されているがＣＰＩが記録されていなかったり、非正常的であるＣＰＩが記録されている場合、ＢＤ−ＲＯＭが不法的なプロセスを経て製作されたＢＤ−ＲＯＭだと判別して、再生中止コントロール（Ｐｌａｙｂａｃｋ  Ｓｔｏｐ  Ｃｏｎｔｒｏｌ）信号をメインデータ復号化部５２に出力することによって、データ再生動作を強制的に中止させるようになる。
【００４０】
一方、本発明の第２実施形態によるＢＤ−ＲＯＭは、図８に示すように、リードイン領域内のＰＩＣ領域にディスク情報（ＤＩ）、ＣＰＩ、そしてＣＰＩ＿Ｆｌａｇが記録されると共に、タイトルＩＤ（Ｔｉｔｌｅ＿ＩＤまたはＰｒｏｖｉｄｅｒ＿ＩＤ）のようなコンテンツ仕様情報（ＣＳＩ：Ｃｏｎｔｅｎｔｓ  Ｓｐｅｃｉｆｉｃ  Ｉｎｆｏｒｍａｔｉｏｎ）が複数個さらに記録される。そして、第１コンテンツ仕様情報（ＣＳＩ  １）は、例えば、ウォブルピットタイプ（Ｗｏｂｂｌｅｄ  ｐｒｅ−ｐｉｔ  ｔｙｐｅ）で記録されて、第２コンテンツ仕様情報（ＣＳＩ  ２）は、一般的なストレートピットタイプ（Ｓｔｒａｉｇｈｔ  ｐｒｅ−ｐｉｔ  ｔｙｐｅ）でそれぞれ相異なるフォーマットで区分記録される。第２コンテンツ仕様情報は、ＰＩＣ領域以外の他の領域に記録されることができて、データ領域やリードアウト領域よりはリードイン領域に記録されることが望ましい。
【００４１】
図９は、本発明の第２実施形態による再生専用ブルーレイディスクを複製するフォーマッターの動作を示した図である。
【００４２】
ＢＤ−ＲＯＭフォーマッター３００のＣＰＣＣに入力されるコンテンツ認証コードファイルには、ＣＰＩ＿Ｆｌａｇ、ＣＳＩ、そしてＣＰＩのようなコントロールデータとＡ／Ｖストリームのようなメインデータが含まれている。ＢＤ−ＲＯＭフォーマッター３００は、図６を参考に上述したように、入力されるコンテンツ認証コードファイルからコントロールデータとメインデータを、ＣＰＣＣを通じて分離して、分離されたコントロールデータとメインデータをＢＤ−ＲＯＭ規格に合うようにフォーマットする。
【００４３】
この場合、ＣＰＣＣでは、コンテンツ認証コードファイルに含まれたコントロールデータが適法な場合には、これをメインデータと分離して出力して、特に、コントロールデータに含まれたＣＳＩを二つ以上等しく生成して、ＣＳＩ  １はコントロールデータで、ＣＳＩ  ２等はメインデータで分離して出力する。しかし、コントロールデータが適法でなかったり、コントロールデータが含まれない場合には、上述したように、複写防止情報フラッグを‘ＣＰＩ＿Ｆｌａｇ＝１’で固定させて誤ったＣＰＩを含めたり、ＣＰＩを含めないコントロールデータを生成して出力する。特に、ＣＰＩ＿ＦｌａｇとＣＰＩは適法であるが、ＣＳＩが適法でなかったり含まれない場合には、ＣＳＩを生成しなかったり、誤ったＣＳＩを生成したり、またはコントロールデータとメインデータに相異なるＣＳＩを生成して出力する。
【００４４】
一方、図１０は、本発明の第２実施形態による再生専用ブルーレイディスクに対して、不法的に複製されたディスクを判別しながら再生する光ディスク装置の構成図である。この光ディスク装置は、ＲＯＭマークデコーダ６０、ＣＳＩデータデコーダ６１、不法ディスク判別部６２、キー復号化及びデコーディング部６３、メインデータ復号化部６４、メインデータデコーダ６５などのハードウェアまたはソフトウェアで構成されることができる。
【００４５】
そして、ＲＯＭマークデコーダ６０では、ＢＤ−ＲＯＭのＰＩＣ領域に記録されたＣＰＩ情報とＣＰＩ＿Ｆｌａｇをデコーディングすると共に、ウォブルピットタイプの第１コンテンツ仕様情報（ＣＳＩ  １）をデコーディングするようになって、ＣＳＩデータデコーダ６１では、ストレートピットタイプの第２コンテンツ仕様情報をデコーディングするようになる。不法ディスク判別部６２では、デコーディングされた第１コンテンツ仕様情報と第２コンテンツ仕様情報の値が相互に一致する場合、合法的なプロセスを経て製作されたＢＤ−ＲＯＭだと判別して再生を続けて進行する。しかし、ＢＤ−ＲＯＭのＰＩＣ領域にコンテンツ仕様情報が記録されていなかったり、誤ったコンテンツ仕様情報が記録されていたり、またはデコーディングされた第１コンテンツ仕様情報と第２コンテンツ仕様情報の値が相互に一致しない場合には、不法的なプロセスを経て製作されたＢＤ−ＲＯＭだと判別して、再生中止コントロール（Ｐｌａｙｂａｃｋ  Ｓｔｏｐ  Ｃｏｎｔｒｏｌ）信号をメインデータ復号化部６４に出力することによって、データ再生動作を強制的に中止させるようになる。
【００４６】
上述したように構成される記録媒体、記録媒体の製造装置、そして記録媒体の再生装置及び再生方法は、光ディスクの不法的な複製が難しくなって、合法的に製作された光ディスクと不法的に製作された光ディスクの判別を正確で容易にできるようになり、不法的な複製を效果的に防止することができるようになり、不法的に製作された光ディスクに対する再生を制限することができるようになる。
【００４７】
以上、上述した本発明の望ましい実施形態は、例示の目的のために開示されたものであって、当業者ならば添付された特許請求範囲に開示された本発明の技術的思想とその技術的範囲内でまた他の多様な実施形態を改良、変更、代替または付加などが可能であることである。
【図面の簡単な説明】
【００４８】
【図１】従来の再記録可能なブルーレイディスク（ＢＤ−ＲＥ）に対するディスク構造を示した図である。
【図２】従来の再記録可能なブルーレイディスクのＰＩＣ領域に記録される高周波変調（ＨＦＭ）グルーブを示した図である。
【図３】従来の再生専用ブルーレイディスク（ＢＤ−ＲＯＭ）に対するディスク構造を示した図である。
【図４】本発明の第１実施形態による再生専用ブルーレイディスクに複写防止情報と複写防止情報フラッグが記録された状態を示した図である。
【図５】本発明の第１実施形態による再生専用ブルーレイディスクが不法複製される過程を示した図である。
【図６】本発明の第１実施形態による再生専用ブルーレイディスクを複製するフォーマッターの動作を示した図である。
【図７】本発明の第１実施形態による再生専用ブルーレイディスクに対して、不法的に複製されたディスクを判別しながら再生する装置の構成図である。
【図８】本発明の第２実施形態による再生専用ブルーレイディスクに複写防止情報と複写防止情報フラッグ、そしてコンテンツ仕様情報が記録された状態を示した図である。
【図９】本発明の第２実施形態による再生専用ブルーレイディスクを複製するフォーマッターの動作を示した図である。
【図１０】本発明による第２実施形態による再生専用ブルーレイディスクに対して、不法的に複製されたディスクを判別しながら再生する装置の構成図である。
【図１】
2006518529.tif 000003
【図２】
2006518529.tif 000004
【図３】
2006518529.tif 000005
【図４】
2006518529.tif 000006
【図５】
2006518529.tif 000007
【図６】
2006518529.tif 000008
【図７】
2006518529.tif 000009
【図８】
2006518529.tif 000010
【図９】
2006518529.tif 000011
【図１０】
2006518529.tif 000012
【国際調査報告】
2006518529.tif 000013